(57)【要約】      （修正有）【課題】ツボ箇所に適用すると、当該ツボ箇所の血行が促進されるので、効果的に筋肉の凝りや痛み更に疲れを解消ないし抑えたり、疲労の回復並びに筋肉痛や神経痛を解消したり、胃腸の働きを活発にして人の健康維持、全身又は患部の疾患治療等を行うことができる上、使用感に優れる活性お灸シートを提供する。【解決手段】人体のツボ箇所に貼付して使用するお灸シート１であって、このお灸シート１におけるフィルム状ないしシート状の支持体２ａ、２ｂには粒状の活性炭３が担持されてなる。【選択図】図３
2005245851.tif 000002
【特許請求の範囲】
【請求項１】
人体のツボ箇所に貼付して使用するお灸シートであって、このお灸シートにおけるフィルム状ないしシート状の支持体には活性炭が担持されてなることを特徴とする活性お灸シート。
【請求項２】
活性炭が、支持体における貼付面側に担持されてなる請求項１に記載の活性お灸シート。
【請求項３】
活性炭が、支持体における貼付面の反対面側に担持されてなる請求項１又は２に記載の活性お灸シート。
【請求項４】
活性炭が、支持体の内部に担持されてなる請求項１ないし３のいずれか１項に記載の活性お灸シート。
【請求項５】
請求項１ないし４のいずれか１項に活性記載のお灸シートには、更に、機能性物質が担時されてなる活性お灸シート。
【請求項６】
機能性物質が磁石、銅粉や亜鉛粉等の金属粉、遠赤外線放射体又はマイナスイオン発生物質である請求項１ないし５のいずれか１項に記載の活性お灸シート。
【請求項７】
支持体における貼付面側の一部ないし全部には、皮膚貼着用の粘着剤層が設けられている請求項１ないし６のいずれか１項に記載の活性お灸シート。
【請求項８】
請求項１ないし７のいずれか１項に記載の活性お灸シートが２〜４ｃｍの大きさに形成されている活性お灸シート。
【発明の詳細な説明】
【技術分野】
【０００１】
本発明は、ツボ箇所に貼付されて血行を良好にすることにより、筋肉の凝りや痛み更に疲れを解消ないし抑えたり、疲労の回復並びに筋肉痛や神経痛を解消したり、胃腸の働きを活発にして人の健康維持、全身又は患部の疾患治療等を行うために用いられる活性お灸シートに関する。
【背景技術】
【０００２】
フィルム状ないしシート状の支持体の片面に、磁石を設けたいわゆる「磁気プラスター」は、人体に適用されて血行を促進し、全身又は患部の疾患治療などに効果があるといわれるものであり、従来から広く研究開発され、市販されているものも数多く存在する。
【０００３】
又、フィルム状ないしシート状の支持体の片面に突起物を設け、これを人体各所に点在する、いわゆる「ツボ」を刺激するように貼付して、全身又は患部の疾患治療をおこなうツボ刺激用プラスターも広く研究されている（例えば、特許文献１及び２。）。
【０００４】
【特許文献１】特開２００３−１７５０８９号公報
【特許文献２】特開２００１−２７６１７５号公報
【発明の開示】
【発明が解決しようとする課題】
【０００５】
即ち、この種、磁気プラスターやツボ刺激用プラスターは、人体のツボ箇所に貼付して、磁力線により血行を促進したり或いはツボを物理的に刺激したりして、腰痛や肩こり等の疾患を治療するものであるが、磁力による血行促進効果は科学的な根拠が見出されておらず、治療効果が不安定であり、又、ツボを刺激する治療は、人によっては痛みを伴い、苦痛や不快感を与えるといった問題がある。
【０００６】
そこで本発明者は、この問題点を解決するために鋭意検討を重ねた結果、人体のツボ箇所に貼付して使用するお灸シートとして、フィルムないしシート状の支持体に活性炭を担持させてなるものを用いることにより、使用者に苦痛や不快感を与えず、極めて優れた薬理・治療効果が得ることができるとの知見を得た。
【０００７】
即ち、本発明者は、活性炭にマイナスイオン発生作用及び遠赤外線放射作用があることに着目し、このような特性を有する活性炭を支持体に担持させることにより、マイナスイオンを吸収した体内（血液）に電子が増え、酸性になった血液を弱アルカリ性に改善したり、遠赤外線による熱的作用により、血行を促進したりすることができるとの知見を得たのである。
【０００８】
又、活性炭におけるマイナスイオン発生作用及び遠赤外線放射作用は、活性炭粒子の大きさには殆ど影響されず、又、皮膚に直接接触していなくてもほぼ同様の効果を与えることから、活性炭を粒子状や粉末状にしたり、支持体の内部や支持体における貼付面の反対側の面に活性炭を担持したりすることにより、皮膚刺激を無くして使用感を著しく向上することができる結果、使用者に苦痛や不快感を全く与えずに、良好な疾患治療効果を得ることができるとの知見も得たのである。
【０００９】
特に、活性炭は、驚くべきことに、お灸シートとしてツボ箇所に適用すると、その遠赤外線放射作用によって当該ツボ箇所の血行が促進されるので、このツボ箇所の皮膚温度が周囲の皮膚温度より数℃高くなる結果、一層遠赤外線放射作用が向上し、このことが効果的に筋肉の凝りや痛み更に疲れを解消ないし抑えたり、疲労の回復並びに筋肉痛や神経痛を解消したり、胃腸の働きを活発にして人の健康維持、全身又は患部の疾患治療等を行うことができるとの知見を得たのである。
【００１０】
本発明は、これらの知見に基づき完成されたものであって、ツボ箇所に適用すると、当該ツボ箇所の血行が促進されるので、効果的に筋肉の凝りや痛み更に疲れを解消ないし抑えたり、疲労の回復並びに筋肉痛や神経痛を解消したり、胃腸の働きを活発にして人の健康維持、全身又は患部の疾患治療等を行うことができる上、使用感に優れる活性お灸シートを提供することを目的とするものである。
【課題を解決するための手段】
【００１１】
本発明に係る活性お灸シートにおいては、人体のツボ箇所に貼付して使用するお灸シートであって、このお灸シートにおけるフィルム状ないしシート状の支持体には活性炭が担持されてなることを特徴とするものである。
以下、本発明の活性お灸シートについて詳細に説明する。
【００１２】
本発明に係る活性お灸シートにおいて用いられる支持体としては、柔軟で活性お灸シートとしての使用感を損ねるものでなければ、特に限定されるものではく、既知の天然繊維及び／又は人造繊維から成るフィルムないしシート、又は高分子材料から成るフィルムないしシートを適宜選択して用いることができるのであり、又、これらのフィルムないしシートから選ばれた少なくとも１種以上を積層した積層フィルムないし積層シートを用いても良いのである。
【００１３】
また、本発明の係る活性お灸シートにおいて用いられる活性炭としても、特に制限されるものではなく、工業用の触媒の担体、脱臭剤、有機溶剤の回収等に用いられる活性炭を用いることができる。
【００１４】
なお、この活性炭を製造するための原料としても特に限定されるものではなく、木材、おがくず、木材乾留物、木炭、椰子殻又はリグニン等の既知の活性炭原料を好適に用いることができるが、中でも、安価で入手しやすく、しかも組織が緻密で締まっている椰子殻を用いることが最も好ましい。
【００１５】
そして、本発明の係る活性お灸シートは、前述のフィルム状ないしシート状の支持体に前記活性炭を担持させてなる点に最も大きな特徴を有する。
【００１６】
ここで、フィルム状ないしシート状の支持体に活性炭を担持させる方法としては、特に限定されるものではなく、具体的に例えば、接着剤等のバインダーを用いて支持体表面に粉末状ないし粒子状の活性炭を接着したり、或いは支持体が多孔質状である場合は、粉末状の活性炭を水や低級アルコール等の溶液に分散させて、この溶液に支持体を浸漬することにより、支持体中に活性炭を担持させたりしても良いのである。
【００１７】
また、支持体に後述する粘着剤層を設ける場合においては、当該粘着剤層中に活性炭を包含させたり、当該粘着剤層を介して活性炭を付着させたりしても良く、更に、複数の支持体によって活性炭を挟み込むことによって担持させても良いのであり、特に、この場合においては活性炭と熱可塑性樹脂の粉末との混合物を複数の支持体の間に介在させ、この積層体の一方面から他方面に水蒸気を透過させ、この水蒸気の熱で熱可塑性樹脂の粉末を溶融させて活性炭を支持体に固着しても良いのである。
【００１８】
ところで、活性炭におけるマイナスイオン発生作用及び遠赤外線放射作用は、当該活性炭が皮膚に直接接触していても、接触していなくてもほぼ同様の効果を与えることから、本発明においては、活性炭を支持体における貼付面側、貼付面の反対面側或いは支持体の内部のいずれの位置に担持しても良いのであるが、支持体に対する活性炭の担持位置によって、それぞれ以下に述べる新たな効果が発生するのである。
【００１９】
即ち、支持体における貼付面側に活性炭を担持させたお灸シートにおいては、使用に際して、支持体表面から突出した活性炭が体表面側に押し付けられるため、物理的にツボを刺激するので、活性炭におけるマイナスイオン発生作用及び遠赤外線放射作用に加えて、相乗的な治療効果を与えることができるのである。
【００２０】
しかも、この場合、活性炭を直径１．５ｍｍ〜２．５ｃｍ程度であって高さが３ｍｍ以下の成形体或いは粒状体ないし粉状体にすると、ツボへの刺激が確保されるうえ、人に痛みを伴うことなく、使用感も良好になるのである。
【００２１】
一方、活性炭を支持体における貼付面の反対面側に担持させたものは、活性炭による物理的なツボの刺激は殆ど与えることができないが、皮膚刺激が全く無く、使用感に優れるといった利点がある。
【００２２】
そのため、本発明においては、支持体の内部に活性炭を担持させることが好ましく、更に詳しくは、２枚以上の複数の支持体によって活性炭を挟み込むようにして活性炭を担持させることにより、使用に際して衣服を汚すといった問題を解消することができるのである。
【００２３】
又、本発明において、支持体の内部に活性炭を担持させたものは、使用に際して、支持体内部に担持された活性炭が支持体を介在して体表面側に押し付けられるため、柔らかくツボを刺激することができる結果、苦痛や不快感を与えることなく、相乗的な治療効果を得ることができるのである。
【００２４】
ところで、本発明において、支持体に担持させる活性炭の担持量としては、活性炭の粒径や活性度或いは用途等によって、適宜決定されるものであり、特に限定されるものではないが、一般的には、支持体１００重量部に対して、活性炭が１０〜２００重量部程度であることが好ましい。
【００２５】
本発明において、活性炭の担持量が、支持体１００重量部に対して、活性炭が１０重量部程度未満になると、少なすぎて所要の血行促進が得難いので所要の治療効果が得られないのであり、一方、活性炭が２００重量部程度を超えると、治療効果に限界が生じるので意味が無いだけでなく、不経済であり、いずれも好ましくないのであり、従って、支持体１００重量部に対して、活性炭が１５〜１５０重量部程度とするのが一層好ましい。
【００２６】
本発明に係る活性お灸シートにおいては、相乗的且つ多面的な治療効果を得るために、或いは治療効果の一層の向上を図るために、外皮に貼付されて人の健康維持、全身又は患部の疾患治療や疾病の予防を行ったり、或いは美肌や美白効果を与えたりするために用いられる液状、粉状又は粒状の機能性物質を担持することが好ましい。
【００２７】
この機能性物質としては、用途に応じた種々の機能性物質を適宜選択、使用することができるので、特に限定されるものではないが、具体的に例えば、薬効成分、化粧料、磁石、銅粉や亜鉛粉等の金属粉、遠赤外線放射体又はマイナスイオン発生物質等を挙げることができる。
【００２８】
ここで、前記薬効成分としては、薬用に供する目的をもって、植物、動物又は鉱物などの天然物の全部又は一部を乾燥した生薬、或いは植物、動物又は鉱物などの天然物の全部又は一部から公知の方法で抽出した抽出物からなる生薬、又はこれらの抽出物の濃縮物からなる生薬、更にこれらを簡単な加工を施して得た生薬（粒状に加工したものを含む。）、アロマエッセンス、カプサイシン、ヒノキチオールや竹酢液又は木酢液等から選ばれた少なくとも一種以上を挙げることができる。
【００２９】
又、他の薬効成分としては、昇華性結晶やハッカ油、ユーカリ油又はラベンダー油等から選ばれた少なくとも１種以上が挙げられるのである。
【００３０】
次に、前記化粧料としては、人の身体を清潔にし、美化し、魅力を増し、容貌を変え、又は皮膚を健やかに保つために外皮に貼付、塗擦、散布その他これらに類似する方法で使用されることが目的とされているものであれば特に限定されるものではないが、人に対する作用が緩和な一般的な化粧料を適宜選択して用いることができるが、具体的には、例えば抗炎症剤、収斂剤、清涼化剤、ビタミン剤、ホルモン剤、抗ヒスタミン剤等の肌荒れ防止用薬剤、皮脂抑制剤、角質剥離・溶解剤等のニキビ用薬剤、アロエエキス、蓬エキス、アロマエッセンス、人参エキス、蓬エキス、カンゾウエキス等の動植物抽出物、アミノ酸類の如き栄養剤等から選ばれた少なくとも１種以上を挙げることができる。
【００３１】
又、前記マイナスイオン発生体としては、マイナスイオンを発生させるものであれば特に限定されるものではないが、具体的には、例えばトルマリン、レアアース鉱石、希陽石、コハク、ブラックカーボン、ガーネット、サンゴ石、トロン又は珪藻土等から選ばれた少なくとも１種以上を挙げることができる。
【００３２】
更に、前記遠赤外線放射体としては、遠赤外線領域近辺の波長範囲を有する電磁波を好適に放射する機能を有するものであれば特に限定されるものではないが、中でも遠赤外線を放射する非金属の無機質固体（遠赤外線放射セラミック）が好ましく、具体的には、例えば金属の酸化物、炭化物、窒化物又は炭酸塩から選ばれた少なくとも１種以上を適宜選択して用いることができる。
【００３３】
加えて、磁石としては血行促進をして肩凝りの解消や腰痛の改善等を図るものであり、５００ガウス以上の粒状のものが挙げられる。
【００３４】
本発明において、銅粉や亜鉛粉等の金属粉は、殺菌作用や抗菌作用を発現するものであり、適用部位の外皮の健康状態を良好にするために用いられるものであり、この金属粉のうち、銅粉が前記殺菌作用や抗菌作用を効果的に発現するので特に望ましい。
【００３５】
そして、本発明においては、機能性物質として前述の各種のものを複数種組み合わせても良いのであり、具体的には、例えば生薬又は植物からの抽出エキスから選択された少なくとも１種と磁石又は遠赤外線放射体から選択された少なくとも１種との組み合わせ等が挙げられる。
【００３６】
ところで、本発明において、支持体に担持させる機能性物質の担持量としては、機能性物質の種類や用途等によって異なり、適宜決定されるものであり、特に限定されるものではないが、一般的には、支持体１００重量部に対して、機能性物質が５〜５００重量部程度であることが好ましい。
【００３７】
本発明において、機能性物質の担持量が、支持体１００重量部に対して、機能性物質が５重量部程度未満になると、少なすぎて所要の治療効果が得られないのであり、一方、機能性物質が５００重量部程度を超えると、治療効果に限界が生じるので意味が無いだけでなく、不経済であり、いずれも好ましくないのであり、従って、支持体１００重量部に対して、機能性物質が１０〜２５０重量部程度とするのが一層好ましい。
【００３８】
なお、本発明においては、これらの機能性物質には、必要に応じて、安定剤、老化防止剤、防腐剤、防黴剤、界面活性剤、紫外線防止剤又は耐候剤等から選ばれた少なくとも１種を適量混合しても良いのである。
【００３９】
本発明において、これら機能性物質を支持体に担持させる方法としては、特に限定されるものではないが、一般的には、接着剤や粘着剤等を用いて支持体表面に粉末状ないし粒子状の機能性物質を接着したり、付着したり、或いは支持体が多孔質状である場合は、粉末状の機能性物質を水や低級アルコール等の溶液に溶解したり、分散させたりして、この溶液に支持体を浸漬することにより、支持体中に機能性物質を担持させたりする方法を挙げることができる。
【００４０】
ところで、本発明に係る活性お灸シートにおいては、支持体に活性炭を担持させてなるものであり、単に外皮に貼付しただけでは、ズレや脱落が生じる場合があるため、使用に際しては、テープやバンド等の固定手段を用いて外皮の貼付位置に当該活性お灸シートを固定する必要が生ずる。
【００４１】
そのため、本発明に係る活性お灸シートにおいては、支持体における皮膚（外皮）貼付面側の一部ないし全部に粘着剤層を備えてなることが好ましい。
【００４２】
この粘着剤層を形成する素材としては皮膚（外皮）への粘着性を有するものであれば特に限定されるものではなく、公知のものが挙げられるが、具体的には、例えば酢酸ビニル系粘着剤、ポリビニルアルコール系粘着剤、ポリビニルアセタール系粘着剤、ポリオレフィン系共重合体型粘着剤或いはこれらの変性体、セルロース系粘着剤、塩化ビニル系粘着剤、アクリル系粘着剤、ポリアミド系粘着剤、ポリエチレン系粘着剤、飽和ポリエステル系粘着剤、ウレタン系粘着剤、ポリオレフィン系粘着剤又はゴム系粘着剤で形成されているものが挙げられる。
【００４３】
ところで、ポリオレフィン系共重合体型粘着剤の変性体とは、ポリオレフィン系共重合体型粘着剤の成分の一部を他の成分に置き換えてポリオレフィン系共重合体型粘着剤の性質、例えばポリオレフィン系共重合体型粘着剤の粘着性の改善や安定性等を変えたものをいう。
【００４４】
更に、前記ゴム系粘着剤としては、具体的には、例えば天然ゴム系粘着剤、イソプレンゴム系粘着剤、スチレンーブタジエンゴム系粘着剤、スチレン−イソプレン−スチレンゴム系粘着剤、ポリサルファイド系粘着剤、スチレンゴム系粘着剤、ニトリルゴム系粘着剤、ブチルゴム系粘着剤、ウレタンゴム系粘着剤、アクリルゴム系粘着剤又はアクリロニトリルゴム系粘着剤で形成されているものが挙げられる。
【００４５】
なお、本発明においては、上述の粘着剤は単独で用いても良く、或いは２種以上を混合して用いても良いのである。
【００４６】
本発明に係る活性お灸シートにおいて、その形状や大きさは、ツボ箇所を覆うことができるものであれば特に限定されるものではないが、一般的には、取扱性や携帯性更に保管性等の観点から、形状が円形、四角形等の多角形、楕円形等であり、又、その大きさが２〜４ｃｍのものが望ましい。
【発明の効果】
【００４７】
本発明に係る活性お灸シートにおいては、前記構成を有し、当該活性お灸がシート状に形成されているから、ツボ箇所に適用しても使用者に苦痛や不快感を与えないのであり、しかも特に、活性炭は、驚くべきことに、お灸シートとしてツボ箇所に適用すると、その遠赤外線放射作用によって当該ツボ箇所の血行が促進されるので、このツボ箇所の皮膚温度が周囲の皮膚温度より数℃高くなる結果、一層遠赤外線放射作用が向上し、このことが効果的に筋肉の凝りや痛み更に疲れを解消ないし抑えたり、疲労の回復並びに筋肉痛や神経痛を解消したり、胃腸の働きを活発にして人の健康維持や全身又は患部の疾患治療等を行うことができるなどの効果を奏するのである。
【００４８】
即ち、本発明に係る活性お灸シートにおいては、活性炭にマイナスイオン発生作用及び遠赤外線放射作用があることに着目し、このような特性を有する活性炭を支持体に担持させることにより、マイナスイオンを吸収した体内（血液）に電子が増え、酸性になった血液を弱アルカリ性に改善したり、遠赤外線による熱的作用により、血行を促進したりすることができるなどの効果を奏するのである。
【００４９】
又、本発明係る活性お灸シートにおいては、活性炭におけるマイナスイオン発生作用及び遠赤外線放射作用は、活性炭粒子の大きさには殆ど影響されず、又、皮膚に直接接触していなくてもほぼ同様の効果を与えることから、活性炭を粒子状や粉末状にしたり、支持体の内部や支持体における貼付面の反対側の面に活性炭を担持したりすることにより、皮膚刺激を無くして使用感を著しく向上することができる結果、使用者に苦痛や不快感を全く与えずに、効果的に肩凝り等を解消することができるなどの効果を奏するのである。
【発明を実施するための最良の形態】
【００５０】
以下、本発明を実施例に基づき詳細に説明するが、本発明はこれに限定されるものではない。
【実施例１】
【００５１】
図１は、本発明の活性お灸シート１を示す模式図であり、図１（ａ）はその断面図、図１（ｂ）はその貼付面側から見た正面図、図１（ｃ）はその貼付面の反対側から見た正面図を示すものである。
【００５２】
この図１に示す活性お灸シート１は、円形の支持体２のほぼ中心に、シート状の活性炭３を粘着剤層４を介して接着、固定させたものであり、使用に際して、支持体２の表面から突出した活性炭３が体表面側に押し付けられるため、物理的にツボを刺激するのであり、又、シート状の活性炭３によって遠赤外線放射作用及びマイナスイオン発生作用を発現するのであり、この遠赤外線放射作用によって前記ツボ箇所の血行が促進される上、マイナスイオン発生作用によってマイナスイオンを吸収した体内（血液）に電子が増え、酸性になった血液を弱アルカリ性に改善するのであり、これらの相乗作用によって効果的な治療効果が得られるのである。
【００５３】
前記活性炭３は粉末状の活性炭（椰子殻活性炭５０〜８０メッシュ、以下同じ）とポリエチレンの粉末（平均粒径約４５メッシュ）を重量比で２対１の割合で混合し、この混合物を、直径２．５ｃｍ、深さ１．５ｍｍの円形となるように折曲加工した網体（目穴１５０メッシュ）に充填し、この一方面から他方面に向かって温度１８０℃の水蒸気を２０秒間透過させることによって直径２．５ｃｍ、厚さ（高さ）１．５ｍｍに成形したものである。
【００５４】
ところで、前記粘着剤層４はアクリル系粘着剤を用いて形成されたものであって活性炭３を支持体２に担持させると共に、お灸シートとしてツボ箇所に適用するに際してお灸シート１を皮膚表面に貼着する役割を果すものである。
【実施例２】
【００５５】
図２は、本発明の他の活性お灸シート１を示す模式図であり、図２（ａ）はその断面図、図２（ｂ）はその貼付面側から見た正面図、図２（ｃ）はその貼付面の反対側から見た正面図を示すものである。
【００５６】
即ち、この図２に示す活性お灸シート１においては、円形の支持体２の中心に、シート状の活性炭３を接着剤５を介して接着させたものであり、使用に際して、活性炭３による物理的なツボの刺激は与えることができないが、皮膚刺激が無く、使用感に優れる上、実施例１の場合と同様の治療効果が得られるなどの利点があるものである。
【００５７】
ところで、前記活性炭３は実施例１で用いたものと同様のものを用いたものであり、又、前記粘着剤層４は、実施例１で用いたものと同様のものを用いたものであって使用に際して活性お灸シート１を皮膚表面に貼着する役割を果すものである。
【実施例３】
【００５８】
図３は、本発明の更に他の活性お灸シート１を示す模式図であり、図３（ａ）はその断面図、図３（ｂ）はその貼付面側から見た正面図、図３（ｃ）はその貼付面の反対側から見た正面図を示すものである。
【００５９】
即ち、この図３に示す活性お灸シート１は、２枚の円形の支持体２（２ａ、２ｂ）の間に挟み込むようにして、粒状の活性炭３を担持させたものであり、使用に際して、支持体２（２ａ、２ｂ）の内部に担持された粒状の活性炭３が支持体２ａ、２ｂ間に介在されて体表面側に押し付けられるため、柔らかくツボを刺激することができる結果、苦痛や不快感を与えることがないのであり、しかも粒状の活性炭３によって遠赤外線放射作用及びマイナスイオン発生作用を発現するのであり、この遠赤外線放射作用によって前記ツボ箇所の血行が促進される上、マイナスイオン発生作用によってマイナスイオンを吸収した体内（血液）に電子が増え、酸性になった血液を弱アルカリ性に改善するのであり、これらの相乗作用によって効果的な治療効果が得られる上、衣服を汚すといった問題を解消することができるものである。
【００６０】
前記活性炭３は粉末状の活性炭とポリエチレンの粉末を重量比で２対１の割合で混合し、この混合物を、直径７．５ｍｍ、深さ３．５ｍｍの円形となるように折曲加工した網体（目穴１５０メッシュ）に充填し、この一方面から他方面に向かって温度１８０℃の水蒸気を３０秒間透過させることによって直径７．５ｍｍ、厚さ３．５ｍｍに成形したものである。
【００６１】
ところで、前記粘着剤層４は、使用に際して活性お灸シート１を皮膚表面に貼着する役割を果すものである。
【実施例４】
【００６２】
粉末状の活性炭とマグネット粉末（直径０．７５ｍｍの円盤状、１５００ガウス）と銅粉（５０〜６０メッシュ）を重量比で２：１：０．１の割合で混合し、この混合物をＥＶＡエマルジョン（住友化学株式会社製  商品名  スミカフレックス）に投入し、この混合分散液が極力分離しないように当該混合分散液を撹拌しながら綿布（坪量８０ｇ）からなる支持体（直径１０ｃｍの円形）全面上に均一になるように流下しつつアスピレーターを用いて吸引濾過した後、これを温度１２０℃で乾燥することによって当該支持体上に前記混合物を固着した。
この混合物の担持量は前記支持体１００重量部に対して前記混合物１７５重量部であった。
【００６３】
次に、得られたお灸シートにおいてその混合物側にアクリル系粘着剤の溶液を塗工した後、乾燥して粘着剤層を形成し、更に、この粘着剤層上に剥離シートを積層した後、縦２．５ｃｍ、横２．５ｃｍの正方形に切断して本発明の活性お灸シートを得た。
【比較例１】
【００６４】
市販されている磁石体（直径５．２ｍｍ、高さ２．４ｍｍの円盤状のもの）を用いた。
【００６５】
肩凝りを訴える男女（年齢５５〜５８才、男性３人、女性３人）からなるパネラー５組に参加して頂き、そのうち４組は前記の実施例１〜４の活性お灸シートを入浴後、２週間にわたって肩凝り箇所に適用して頂いた。
一方、比較例１の磁石体を入浴後、２週間にわたって肩凝り箇所に適用して頂いた。
【００６６】
その結果、実施例１については６人中４人（男性２人と女性２人）は肩凝りが完全に解消し、又、残りの２人（男女各１人）は肩凝りが殆ど解消し、良好になったと訴えたのであり、又、実施例２については６人中３人（男性２人と女性１人）が肩凝りが完全に解消し、又、残りの３人（男性１人と女性２人）は肩凝りが殆ど解消し、良好になったと訴えたのであり、更に、実施例３については６人中４人（男性２人と女性２人）は肩凝りが完全に解消し、又、残りの２人（男女各１人）は肩凝りが殆ど解消し、良好になったと訴えたのであり、更に又、実施例４については６人中５人（男性３人と女性２人）が肩凝りが完全に解消し、又、残りの１人（女性）は肩凝りが殆ど解消し、良好になったと訴えたのである。
【００６７】
一方、比較例１については６人中３人（男性２人と女性１人）が肩凝りが殆ど解消し、良好になったと訴えたが、残りの３人（女性）は効果が殆どないのか或いは効果が全くないのか不明であると訴えた。
【００６８】
以上のことより、各実施例のものは、比較例１のものと比較して、極めて優れた治療効果があることが認められる。
【図面の簡単な説明】
【００６９】
【図１】図１において（ａ）図は、本発明に係る活性お灸シートを示す模式断面図である。  図１において（ｂ）図は、本発明に係る活性お灸シートをその貼付面側から見た模式正面図である。  図１において（ｃ）図は、本発明に係る活性お灸シートをその貼付面側の反対側から見た模式正面図である。
【図２】図２において（ａ）図は、本発明に係る活性お灸シートを示す模式断面図である。  図２において（ｂ）図は、本発明に係る活性お灸シートをその貼付面側から見た模式正面図である。  図２において（ｃ）図は、本発明に係る活性お灸シートをその貼付面側の反対側から見た模式正面図である。
【図３】図３において（ａ）図は、本発明に係る活性お灸シートを示す模式断面図である。  図３において（ｂ）図は、本発明に係る活性お灸シートをその貼付面側から見た模式正面図である。  図３において（ｃ）図は、本発明に係る活性お灸シートをその貼付面側の反対側から見た模式正面図である。
【符号の説明】
【００７０】
１  活性お灸シート
２  支持体
３  活性炭
４  粘着剤層
５  接着剤
【図１】
2005245851.tif 000003
【図２】
2005245851.tif 000004
【図３】
2005245851.tif 000005